(57)【要約】【課題】情報表示機器の監視作業の負担を軽減できる情報表示機器監視システムを提供する。【解決手段】デジタルサイネージ監視システム１は、デジタルサイネージ２と、デジタルサイネージ２に取付けられた監視器３と、デジタルサイネージ２および監視器３と通信可能なサーバ４を備える。監視器３は、デジタルサイネージ２の正常作動状態情報を記録可能な正常作動状態情報データベース５と、デジタルサイネージ２の作動状態を検知可能な検知部６と、検知部６がデジタルサイネージ２の作動状態を検知して得られた検知結果情報と、正常作動状態情報データベース５が記録した正常作動状態情報とを対比して、検知結果情報が正常作動状態情報と異なるか否かを判定可能な判定部７と、判定部７が、検知結果情報は正常作動状態情報と異なると判定した場合、検知結果情報が正常作動状態情報と異なることを示す異常情報を検知結果情報と共に通知可能な通知部８を有する。【選択図】図１
2017204124.tif 000002
【特許請求の範囲】
【請求項１】
建物の窓枠に取付けられる、かつ、平板形状であり、かつ、情報を表示可能な表示部を有する情報表示機器と、
該情報表示機器の正常な作動状態に関する情報である正常作動状態情報を記録可能な正常作動状態情報記録部と、前記情報表示機器の作動状態を検知可能な検知部と、該検知部が前記情報表示機器の作動状態を検知して得られた検知結果情報と、前記正常作動状態情報記録部が記録した正常作動状態情報とを対比して、同検知結果情報が同正常作動状態情報と異なるか否かを判定可能な判定部と、該判定部が、前記検知結果情報は前記正常作動状態情報と異なると判定した場合、同検知結果情報が同正常作動状態情報と異なることを示す異常情報を、同検知結果情報と共に通信回線を介して通知可能な通知部とを有する監視器と、
前記通知部が通知した前記異常情報および前記検知結果情報を受信可能な受信部と、該受信部が受信した前記異常情報および前記検知結果情報を記録可能な情報表示機器情報記録部とを有するサーバとを備える
情報表示機器監視システム。
【請求項２】
前記サーバは、広告情報を記録可能な広告情報記録部と、該広告情報記録部が記録した広告情報を、通信回線を介して前記情報表示機器へ送信可能な広告情報送信部と、該広告情報送信部が前記広告情報を送信した日時から前記受信部が前記異常情報および前記検知結果情報を受信した日時までの時間を計測可能な広告実績計測部とを有する
請求項１に記載の情報表示機器監視システム。
【請求項３】
前記情報表示機器は、ソースコードの変更が可能なオペレーティングシステムを有する
請求項１または請求項２に記載の情報表示機器監視システム。
【請求項４】
前記情報表示機器は、前記表示部の周辺の照度を検知可能な照度検知部を有し、
前記情報表示機器の前記表示部は、光度が７００〜２５００カンデラであり、かつ、前記照度検知部が検知した照度に基づいて光度を変更可能な液晶パネルである
請求項１または請求項２に記載の情報表示機器監視システム。
【請求項５】
前記情報表示機器および前記監視器は、ＳＩＭカードのＳＩＭ情報を利用して通信可能である
請求項１、請求項２または請求項３に記載の情報表示機器監視システム。
【請求項６】
前記検知結果情報は検知された温度に関する情報であり、
前記監視器は、前記判定部が、検知された温度に関する情報は前記正常作動状態情報と異なると判定した場合、前記情報表示機器の電源を切る制御が可能な電源制御部を有する
請求項１、請求項２または請求項３に記載の情報表示機器監視システム。
【発明の詳細な説明】
【技術分野】
【０００１】
本発明は情報表示機器監視システムに関する。詳しくは、例えばデジタルサイネージの監視を行なうための、情報表示機器監視システムに係るものである。
【背景技術】
【０００２】
建物の壁面や駅などに設置され、ネットワークに接続したディスプレイで映像などを表示するデジタルサイネージは、広告やニュースなどをリアルタイムで更新し、最新の情報を表示することができるため、急速に普及している。
【０００３】
そして、このようなデジタルサイネージを利用して広告効果を高めようとする技術が幾つか提案されている。
【０００４】
例えば特許文献１には、管理サーバが、ユーザが所持する携帯端末のユーザＩＤごとにスタンプラリーシートを作成する表示システムが記載されている。
【０００５】
すなわち、特許文献１に記載の表示システムは、スタンプラリーシートが割り当てられた携帯端末のユーザが、複数の指定場所に設置されたデジタルサイネージを巡るスタンプラリーに参加することが可能になり、指定場所にてデジタルサイネージと携帯端末とを通信させるユーザに対し、デジタルサイネージに表示される広告情報を高頻度で閲覧させることができる。
その結果、特許文献１に記載の表示システムは、広告効果を高めることができる。
【先行技術文献】
【特許文献】
【０００６】
【特許文献１】特開２０１４‐１９１６０８号公報
【発明の概要】
【発明が解決しようとする課題】
【０００７】
ところで、特許文献１に記載の表示システムは、高い広告効果を発揮できる発明ではあるが、表示システムを構成するデジタルサイネージなどの表示装置を保守管理する発明ではない。
【０００８】
すなわち、デジタルサイネージ装置の長期間の使用によってデジタルサイネージ装置が熱を帯びると、デジタルサイネージ装置の液晶ディスプレイなどが劣化し、安定して高精度の表示を行なうことができなくなる。
【０００９】
このような事態を避けるため、デジタルサイネージの管理者は、デジタルサイネージが設置された場所に来て目視する必要があり、管理者の監視作業の負担は大きかった。
【００１０】
本発明は、以上の点に鑑みて創案されたものであり、情報表示機器の監視作業の負担を軽減できる情報表示機器監視システムを提供することを目的とする。
【課題を解決するための手段】
【００１１】
上記の目的を達成するために、本発明の情報表示機器監視システムは、建物の窓枠に取付けられる、かつ、平板形状であり、かつ、情報を表示可能な表示部を有する情報表示機器と、該情報表示機器の正常な作動状態に関する情報である正常作動状態情報を記録可能な正常作動状態情報記録部と、前記情報表示機器の作動状態を検知可能な検知部と、該検知部が前記情報表示機器の作動状態を検知して得られた検知結果情報と、前記正常作動状態情報記録部が記録した正常作動状態情報とを対比して、同検知結果情報が同正常作動状態情報と異なるか否かを判定可能な判定部と、該判定部が、前記検知結果情報は前記正常作動状態情報と異なると判定した場合、同検知結果情報が同正常作動状態情報と異なることを示す異常情報を、同検知結果情報と共に通信回線を介して通知可能な通知部とを有する監視器と、前記通知部が通知した前記異常情報および前記検知結果情報を受信可能な受信部と、該受信部が受信した前記異常情報および前記検知結果情報を記録可能な情報表示機器情報記録部とを有するサーバとを備える。
【００１２】
ここで、情報表示機器の作動状態を検知可能な検知部によって、作動中の情報表示機器の実際の情報を得ることができる。
【００１３】
また、検知部が情報表示機器の作動状態を検知して得られた検知結果情報と、正常作動状態情報記録部が記録した正常作動状態情報とを対比して、検知結果情報が正常作動状態情報と異なるか否かを判定可能な判定部および、判定部が、検知結果情報は正常作動状態情報と異なると判定した場合、検知結果情報が正常作動状態情報と異なることを示す異常情報を、検知結果情報と共に通信回線を介して通知可能な通知部によって、情報表示機器の管理者は、情報表示機器から離れた位置に居ながら作動中の情報表示機器が正常か異常かを知ることができる。
【００１４】
また、本発明の情報表示機器監視システムにおいて、サーバは、広告情報を記録可能な広告情報記録部と、広告情報記録部が記録した広告情報を、通信回線を介して情報表示機器へ送信可能な広告情報送信部と、広告情報送信部が広告情報を送信した日時から受信部が異常情報および検知結果情報を受信した日時までの時間を計測可能な広告実績計測部とを有するものとすることができる。
【００１５】
この場合、広告主に対して、実際に広告が表示された回数などを報告することができる。
【００１６】
さらに、本発明の情報表示機器監視システムにおいて、情報表示機器は、ソースコードの変更が可能なオペレーティングシステムを有するものとすることができる。
【００１７】
この場合、情報表示を行なうために必要な最小限の機能に抑えて基盤を軽量化できる。
また、ソースコードの変更が可能なので独自のオペレーティングシステムを構築でき、バージョンアップを容易に行なうことができる。
また、情報表示機器の生産が容易であり、故障が発生しても早急に部品の交換保障を行なうことができる。
【００１８】
また、本発明の情報表示機器監視システムにおいて、情報表示機器は、表示部の周辺の照度を検知可能な照度検知部を有し、情報表示機器の表示部は、光度が７００〜２５００カンデラであり、かつ、照度検知部が検知した照度に基づいて光度を変更可能な液晶パネルであるものとすることができる。
【００１９】
この場合、情報表示機器が西日や朝日に照らされても色あせることなく、最適な状態で情報を表示できる。
【００２０】
また、本発明の情報表示機器監視システムにおいて、情報表示機器および監視器は、ＳＩＭカードのＳＩＭ情報を利用して通信可能であるものとすることができる。
【００２１】
この場合、インターネットの回線契約および工事が不要であり、簡単にインターネット通信を行なうことができる。
【００２２】
また、本発明の情報表示機器監視システムにおいて、検知結果情報は検知された温度に関する情報であり、監視器は、判定部が、検知された温度に関する情報は正常作動状態情報と異なると判定した場合、情報表示機器の電源を切る制御が可能な電源制御部を有するものとすることができる。
【００２３】
この場合、情報表示機器の管理者が操作しなくても情報表示機器の温度を低下させることができ、情報表示機器の故障を抑制し易い。
【発明の効果】
【００２４】
本発明に係る情報表示機器監視システムは、情報表示機器の監視作業の負担を軽減できる。
【図面の簡単な説明】
【００２５】
【図１】本発明を適用したデジタルサイネージ監視システムの構成の一例を示す概略図である。
【図２】本発明を適用したデジタルサイネージ監視システムで監視されるデジタルサイネージがコンビニエンスストアの窓枠に取付けられた様子の一例を示す概略図である。
【発明を実施するための形態】
【００２６】
以下、本発明の実施の形態について図面を参照しながら説明し、本発明の理解に供する。
図１は、本発明を適用したデジタルサイネージ監視システムの構成の一例を示す概略図である。
【００２７】
図１に示す本発明のデジタルサイネージ監視システム１は、監視対象であるデジタルサイネージ２と、デジタルサイネージ２に取付けられた監視器３と、デジタルサイネージ２および監視器３とインターネット２４を介して通信可能なサーバ４とを備える。
【００２８】
ここで、デジタルサイネージは情報表示機器の一例であり、また、インターネットは通信回線の一例である。
【００２９】
また、デジタルサイネージ２は、建物の窓枠に取付けられたものである。すなわち、デジタルサイネージ２は窓ガラスの内側に配置された状態で、窓枠に取付けられている。
なお、デジタルサイネージ２を、窓ガラスの代わりに窓枠に取付けることもできる。
また、デジタルサイネージ２は、平板形状であり、情報を表示可能な液晶パネル１６を有する。
ここで、液晶パネルは表示部の一例である。
【００３０】
また、デジタルサイネージ２は、低電圧で作動可能であり安定性に優れたアンドロイド（登録商標）基盤を有する。
【００３１】
また、デジタルサイネージ２は、アンドロイド（登録商標）基盤に搭載された、ソースコードの変更が可能なオペレーティングシステムを有する。
ここで、ソースコードの変更が可能なオペレーティングシステムとしては例えばＬｉｎｕｘ（登録商標）およびアンドロイド（登録商標）が挙げられる。
【００３２】
ソースコードの変更が可能なオペレーティングシステムを使用することで、デジタルサイネージ専用のオペレーティングシステムを組み上げることができ、このようなオペレーティングシステムが組み込まれた基盤をデジタルサイネージ専用基盤すなわちミニＰＣとして、最高の音声および映像パフォーマンスとコストパフォーマンスを実現できる。
【００３３】
また、デジタルサイネージ２は、液晶パネル１６の周辺の照度を検知可能な照度センサー２６を有する。
ここで、照度センサーは照度検知部の一例である。
【００３４】
また、デジタルサイネージ２の液晶パネル１６は、光度が７００〜２５００カンデラであり、かつ、照度センサー２６が検知した照度に基づいて自動的に光度を変更可能である。
ここで、光度は具体的には例えば、７００カンデラ、１５００カンデラおよび２５００カンデラである。
【００３５】
また、監視器３は、デジタルサイネージ２の液晶パネル１６の背面、すなわち建物の内部に向いた、画像などが表示されない面に、液晶パネル１６と電気的に接続された状態で取付けられている。
【００３６】
また、監視器３は、デジタルサイネージ２の正常な作動状態に関する情報である正常作動状態情報を記録可能な正常作動状態情報データベース５を有する。
ここで、正常作動状態情報データベースは正常作動状態情報記録部の一例である。
【００３７】
また、監視器３は、デジタルサイネージ２の作動状態を検知可能な検知部６を有する。
ここで、検知部６としては、具体的には例えば、温度を検知可能な温度センサー、輝度を検知可能な輝度センサー、照度を検知可能な照度センサー、電圧を検知可能な電圧センサー、電流を検知可能な電流センサー、湿度を検知可能な湿度センサー、静止画や動画を撮像可能な画像センサーカメラが挙げられる。
【００３８】
また、検知部６は、自動販売機などの機器の、インターネットなどの通信回線への接続状況も検知することができる。
【００３９】
また、監視器３は、判定部７を有する。
ここで、判定部７は、検知部６がデジタルサイネージ２の作動状態を検知して得られた検知結果情報と、正常作動状態情報データベース５が記録した正常作動状態情報とを対比して、検知結果情報が正常作動状態情報と異なるか否かを判定可能である。
【００４０】
また、監視器３は、通知部８を有する。
ここで、通知部８は、判定部７が、検知結果情報は正常作動状態情報と異なると判定した場合、検知結果情報が正常作動状態情報と異なることを示す異常情報を、検知結果情報と共にインターネット２４を介して通知可能である。
【００４１】
また、具体的な通知方法としては、例えば電子メールや、ソーシャル・ネットワーキング・サービス（ＳＮＳ）を利用した通知方法が挙げられる。
【００４２】
また、検知結果情報としては、具体的には例えば、検知部が温度センサーであれば温度情報であり、画像センサーカメラであれば撮像された画像情報である。
【００４３】
また、本発明で言う「検知結果情報が正常作動状態情報と異なる」とは、例えば検知結果情報が温度情報であって温度情報が８０℃であり、温度情報に対応する正常作動状態情報が４０〜５０℃であるというように、検知結果情報と正常作動状態情報との間に一致点がないことを意味する。
【００４４】
また、例えば検知結果情報がデジタルサイネージ２の液晶パネル１６の輝度情報であり、輝度情報に対応する正常作動状態情報との間に一致点がない場合、液晶パネル１６の画面全体が明るくなる、いわゆる「ホワイトアウト」現象が生じていたり、液晶パネル１６の画面全体が暗くなる、いわゆる「ブラックアウト」現象が生じていたりする可能性が高い。
【００４５】
また、サーバ４は、通知部８が通知した異常情報および検知結果情報を受信可能な受信部９を有する。
【００４６】
また、サーバ４は、受信部９が受信した異常情報および検知結果情報を記録可能なデジタルサイネージ情報データベース１０を有する。
ここで、デジタルサイネージ情報データベースは情報表示機器情報記録部の一例である。
【００４７】
また、監視器３は、電源制御部１１を有する。
ここで、電源制御部１１は、判定部７が、検知された温度に関する情報は正常作動状態情報と異なると判定した場合、デジタルサイネージ２の電源を切る制御が可能である。
【００４８】
また、デジタルサイネージ２および監視器３は、ＳＩＭ（Ｓｕｂｓｃｒｉｂｅｒ  Ｉｄｅｎｔｉｔｙ  Ｍｏｄｕｌｅ＝加入者識別モジュール）カードのＳＩＭ情報を利用して通信可能である。
例えば、デジタルサイネージ２および監視器３は、Ｍｏｂｉｌｅ（モバイル）ＳＩＭを利用して通信を行なうことができる。
【００４９】
また、サーバ４は、デジタルサイネージ２を操作するための信号である操作信号をデジタルサイネージ２へ、インターネット２４を介して送信可能な操作信号送信部１２を有する。
【００５０】
また、デジタルサイネージ２は、サーバ４の操作信号送信部１２から送信された操作信号に基づいてデジタルサイネージ２を操作する制御が可能な操作制御部１３を有する。
具体的には例えば、デジタルサイネージ２の電源を切る操作、デジタルサイネージ２の電源を入れる操作、デジタルサイネージ２の液晶パネル１６の輝度や照度を調節する操作が挙げられる。
【００５１】
また、サーバ４は、広告情報を記録可能な広告情報データベース１８を有する。
ここで、広告情報データベースは広告情報記録部の一例である。
また、広告情報には、デジタルサイネージ２が広告画像を表示するときの日程（スケジュール）も含まれる。
【００５２】
また、サーバ４は、広告情報データベース１８が記録した広告情報を、インターネット２４を介してデジタルサイネージ２へ送信可能な広告情報送信部１９を有する。
【００５３】
また、サーバ４は、広告情報送信部１９が広告情報を送信した日時から受信部９が異常情報および検知結果情報を受信した日時までの時間を計測可能な広告実績計測部２５を有する。
【００５４】
ここで、広告情報には、デジタルサイネージ２が広告画像を表示するときの日程（スケジュール）も含まれるので、広告情報送信部１９が広告情報を送信した日時すなわちデジタルサイネージ２が広告情報を受信した日時から、受信部９が異常情報および検知結果情報を受信した日時すなわちデジタルサイネージ２の液晶パネル１６に、「ホワイトアウト」現象もしくは「ブラックアウト」現象が生じて広告画像が充分に表示されなくなった日時までの時間を計測できれば、計測された時間内に広告画像が表示された回数は自ずと判明する。
【００５５】
また、サーバ４は、いわゆる「コンテンツマネジメントシステム（ＣＭＳ）」により、広告情報データベース１８が記録した広告情報の月額や広告主からの入金状況などを一元管理することができる。
また、デジタルサイネージ２の管理者は、サーバ４に接続された表示装置の管理画面で、デジタルサイネージ２の液晶パネル１６が広告画像をどのように表示するかを確認することができる。
また、広告実績計測部２５により広告回数が判明するので、サーバ４は、広告主へ広告回数を電子メールなどで通知することができる。
【００５６】
本発明において、サーバは必ずしも広告実績計測部を有していなくてもよい。
しかし、サーバが広告実績計測部を有していれば、広告主に対して、実際に広告が表示された回数などを報告することができるので好ましい。
【００５７】
また、デジタルサイネージすなわち情報表示機器は、必ずしもソースコードの変更が可能なオペレーティングシステムを有していなくてもよい。
【００５８】
しかし、情報表示機器がソースコードの変更が可能なオペレーティングシステムを有していれば、情報表示を行なうために必要な最小限の機能に抑えて基盤を軽量化できるので好ましい。
また、ソースコードの変更が可能なので独自のオペレーティングシステムを構築でき、バージョンアップを容易に行なうことができ、好ましい。
さらに、情報表示機器の生産が容易であり、故障が発生しても早急に部品の交換保障を行なうことができるので好ましい。
【００５９】
また、デジタルサイネージすなわち情報表示機器は、必ずしも表示部すなわち液晶パネルの周辺の照度を検知可能な照度センサーすなわち照度検知部を有していなくてもよい。
また、必ずしも情報表示機器の表示部は、光度が７００〜２５００カンデラであり、かつ、照度検知部が検知した照度に基づいて光度を変更可能な液晶パネルでなくてもよい。
【００６０】
しかし、情報表示機器が照度検知部を有し、表示部が、このような液晶パネルであれば、情報表示機器が西日や朝日に照らされても色あせることなく、最適な状態で情報を表示できるので好ましい。
【００６１】
また、デジタルサイネージすなわち情報表示機器および監視器は、必ずしもＳＩＭカードのＳＩＭ情報を利用して通信可能でなくてもよい。
しかし、情報表示機器および監視器が、ＳＩＭカードのＳＩＭ情報を利用して通信可能であれば、インターネットの回線契約および工事が不要であり、簡単にインターネット通信を行なうことができるので好ましい。
【００６２】
また、監視器は、必ずしも電源制御部を有していなくてもよい。
しかし、監視器が電源制御部を有していれば、情報表示機器の管理者が操作しなくても情報表示機器の温度を低下させることができ、情報表示機器の故障を抑制し易いので好ましい。
【００６３】
図２は、本発明を適用したデジタルサイネージ監視システムで監視されるデジタルサイネージがコンビニエンスストアの窓枠に取付けられた様子の一例を示す概略図である。
【００６４】
図２に示すように、本発明のデジタルサイネージ監視システムで監視されるデジタルサイネージ２は、コンビニエンスストア２１の窓枠２２に取付けられている。
ここで、コンビニエンスストアは建物の一例である。
なお、デジタルサイネージ２は窓ガラスの内側に配置された状態で、窓枠２２に取付けられているが、図２においてデジタルサイネージ２が位置する領域に位置する窓ガラスは図示を省略する。
【００６５】
デジタルサイネージ２は広告画像や図２に示すような天気予報などを表示するので、左右の窓ガラス２３とは異なり、デジタルサイネージ２を通して外部からコンビニエンスストア２１の内部は見えない。
【００６６】
また、監視器３は検知部６を有するが、検知部６は単数でも複数でもどちらでも可能である。
また、検知部６が複数ある場合、判定部７と検知部６は、例えば無線通信で通信可能とすることができる。
【００６７】
次に、本発明のデジタルサイネージ監視システムを利用したデジタルサイネージの監視の流れの一例を説明する。
【００６８】
デジタルサイネージの管理者は、コンビニエンスストア２１の窓枠に取付けられたデジタルサイネージ２１の液晶パネル１６の裏面に、監視器３を取付ける。
【００６９】
また、監視器３の検知部６は、温度センサー、電圧センサーおよび輝度センサーであり、液晶パネル１６の温度、液晶パネル１６の電圧および液晶パネル１６の輝度を検知する。
【００７０】
そして、監視器３の判定部７は、検知部６が検知して得られた温度情報、電圧情報および輝度情報と、正常作動状態情報データベース５が記録した、液晶パネル１６の温度情報、電圧情報および輝度情報に対応する正常作動状態情報とを対比して、温度情報、電圧情報および輝度情報が、それぞれに対応する正常作動状態情報と異なるか否かを判定する。
【００７１】
また、判定部７が、検知して得られた温度情報、電圧情報および輝度情報のうち、１つでもそれぞれに対応する正常作動状態情報と異なると判定した場合、例えば温度情報が、対応する正常作動状態情報と異なると判定した場合、通知部８は、異なることを示す異常情報を、検知して得られた温度情報と共にインターネット２４を介してサーバ４へ通知する。
【００７２】
そして、サーバ４の受信部９は、通知部８が通知した、異常情報および温度情報を受信する。
また、サーバ４のデジタルサイネージ情報データベース１０は、受信部９が受信した異常情報および温度情報を記録する。
【００７３】
デジタルサイネージ２の管理者は、デジタルサイネージ２から離れた場所にいながら、サーバ４に接続された表示装置の画面を見て、監視対象のデジタルサイネージ２の状況を知ることができる。
また、サーバ４から、異常情報および温度情報を、管理者の携帯端末へ転送するようにすることもできる。
【００７４】
また、監視器３の電源制御部１１は、判定部７が、検知して得られた温度情報は、対応する正常作動状態情報と異なると判定した場合、例えば、温度情報に対応する正常作動状態情報が４０〜５０℃であるのに対し、検知して得られた温度情報が９０℃であるというように顕著に異なる場合、デジタルサイネージ２の電源を切る制御を行なう。
【００７５】
また、検知して得られた温度情報が、液晶パネル１６の温度情報であれば、電源制御部１１が、デジタルサイネージ２の一部である液晶パネル１６の電源を切る制御を行なうようにすることもできる。
【００７６】
また、デジタルサイネージ２の管理者は、サーバ４に接続された表示装置の画面を見ながら、例えば液晶パネル１６の輝度を操作するために、操作信号送信部１２から操作信号をデジタルサイネージ２へ送信する。
【００７７】
また、デジタルサイネージ２の操作制御部１３は、サーバ４の操作信号送信部１２から送信された操作信号に基づいてデジタルサイネージ２の液晶パネル１６の輝度を操作する制御を行なう。
【００７８】
また、デジタルサイネージ２の管理者は、サーバ４に接続された表示装置の画面を見ながら、デジタルサイネージ２の電源の入切を操作するために、操作信号送信部１２から操作信号をデジタルサイネージ２へ送信することもできる。
【００７９】
また、デジタルサイネージ２の操作制御部１３は、サーバ４の操作信号送信部１２から送信された操作信号に基づいてデジタルサイネージ２の電源の入切を操作する制御を行なうこともできる。
【００８０】
また、サーバ４の広告情報送信部１９は、広告情報データベース１８が記録した広告情報を、インターネット２４を介してデジタルサイネージ２へ送信する。
【００８１】
また、広告情報送信部１９が送信する広告情報には、デジタルサイネージ２が広告画像を表示するときの日程（スケジュール）も含まれており、デジタルサイネージ２の液晶パネル１６は、この日程に基づいて広告画像を表示する。
【００８２】
そして、例えば検知部６が輝度センサーであり、判定部７が、検知結果情報であるデジタルサイネージ２の液晶パネル１６の輝度情報は正常作動状態情報と異なると判定した場合、異常情報を、検知して得られた輝度情報と共にインターネット２４を介してサーバ４へ通知する。
【００８３】
液晶パネル１６の輝度情報が正常作動状態情報と異なるということは、液晶パネル１６の画面全体が明るくなる、いわゆる「ホワイトアウト」現象が生じていたり、液晶パネル１６の画面全体が暗くなる、いわゆる「ブラックアウト」現象が生じていたりする可能性が高く、広告画像が充分に表示されていない可能性が高いことを意味する。
【００８４】
また、サーバ４の広告実績計測部２５は、広告情報送信部１９が広告情報を送信した日時から受信部９が異常情報および検知結果情報を受信した日時までの時間を計測する。
【００８５】
その結果、広告情報には、デジタルサイネージ２が広告画像を表示するときの日程（スケジュール）も含まれるので、計測された時間内に広告画像を表示した回数が判明する。
【００８６】
また、コンビニエンスストア２１によっては、窓が西日を強く受ける店舗や朝日を強くうける店舗もあるが、そのような店舗の窓枠２２にデジタルサイネージ２が取付けられていても、照度センサー２６が液晶パネル１６の周辺の照度を検知し、液晶パネル１６は、検知した照度に基づいて光度７００〜２５００カンデラの範囲で自動的に最適な光度に切り替わる。
【００８７】
以上のように、本発明のデジタルサイネージ監視システムすなわち情報表示機器監視システムは、情報表示機器の作動状態を検知可能な検知部を有する監視器を備えているので、作動中の情報表示機器の実際の情報を得ることができる。
【００８８】
また、本発明の情報表示機器監視システムは、検知部が情報表示機器の作動状態を検知して得られた検知結果情報と、正常作動状態情報記録部が記録した正常作動状態情報とを対比して、検知結果情報が正常作動状態情報と異なるか否かを判定可能な判定部および、判定部が、検知結果情報は正常作動状態情報と異なると判定した場合、検知結果情報が正常作動状態情報と異なることを示す異常情報を、検知結果情報と共に通信回線を介して通知可能な通知部を有する監視器を備えているので、情報表示機器の管理者は、情報表示機器から離れた位置に居ながら作動中の情報表示機器が正常か異常かを知ることができる。
【００８９】
従って、本発明の情報表示機器監視システムによれば、情報表示機器が正常か異常かを判断するために、わざわざ情報表示機器の管理者が情報表示機器の設置場所に来て情報表示機器を確認する必要がなくなるので、情報表示機器の監視作業の負担が軽減できる。
【００９０】
また、監視対象のデジタルサイネージすなわち情報表示機器が、西日を強く受けたり朝日を強く受けたりする建物の窓枠に取付けられていても、照度センサーすなわち照度検知部が液晶パネルすなわち表示部の周辺の照度を検知し、表示部は、検知した照度に基づいて光度７００〜２５００カンデラの範囲で自動的に最適な光度に切り替わるので、色あせることなく広告画像などを表示できる。
【００９１】
また、情報表示機器および監視器は、Ｍｏｂｉｌｅ（モバイル）ＳＩＭを利用して通信を行なうことができるので、電源を確保できれば、簡単にインターネット通信を行なうことができる。
【００９２】
また、ソースコードの変更が可能なオペレーティングシステムを利用しているので、情報表示機器の生産が容易であり、故障が発生しても早急に部品の交換保障を行なうことができる。
【符号の説明】
【００９３】
１    デジタルサイネージ監視システム
２    デジタルサイネージ
３    監視器
４    サーバ
５    正常作動状態情報データベース
６    検知部
７    判定部
８    通知部
９    受信部
１０    デジタルサイネージ情報データベース
１１    電源制御部
１２    操作信号送信部
１３    操作制御部
１６    液晶パネル
１８    広告情報データベース
１９    広告情報送信部
２０    広告情報制御部
２１    コンビニエンスストア
２２    窓枠
２３    窓ガラス
２４    インターネット
２５    広告実績計測部
２６    照度センサー
【図１】
2017204124.tif 000003
【図２】
2017204124.tif 000004